(57)【要約】      （修正有）【課題】  使用者が時刻を設定することなく、時刻を計時するためのバックアップ電源が不要な洗濯機を提供すること。【解決手段】  洗濯乾燥機に、日時情報を含む標準電波を受信し、日時を表す日時情報を制御部５９に出力する電波時計機構６３を備えているので、使用者は電源オン時に改めて日時を設定する必要がなく、さらに自動的に標準電波を受信して日時を表示するため、バックアップ電源を搭載して電源オフ時に時計機能に電力を供給する必要がない。【選択図】  図１
2007061502.tif 000002
【特許請求の範囲】
【請求項１】
外枠と、
前記外枠内に収納されて防振支持される水槽と、
前記水槽内に収納され、洗濯物を収納し、モータを回転駆動して洗濯物を洗浄する洗濯
槽と、
日時を表す日時情報を含む標準電波を受信し、前記日時情報を出力する電波時計機構と
、
前記電波時計機構から出力された前記日時情報に基づいて、洗濯動作を制御する制御部
と、
を具備することを特徴とする洗濯機。
【請求項２】
請求項１に記載の洗濯機において、
前記制御部は、前記洗濯機の電源投入操作時に基づき、前記電波時計機構を通電駆動させ
ることを特徴とする洗濯機。
【請求項３】
請求項１に記載の洗濯機において、
当該洗濯機は、日時に対応する複数の洗濯動作を有し、
前記制御部は、前記電波時計機構が出力した日時情報に基づき、その日時情報に対応す
る洗濯動作を選択実行することを特徴とする洗濯機。
【発明の詳細な説明】
【技術分野】
【０００１】
本発明は、時刻を計時する時計機能を備えた洗濯機に関する。
【背景技術】
【０００２】
従来、洗濯運転を自動的に実行制御する制御回路と、現在時刻を計時する時計機能とを
有するもので、その時計機能が計時する時刻に応じて複数の洗濯運転パターンを自動的に
選択し実行制御する洗濯機が提供されている（例えば、特許文献１参照）。
【特許文献１】特開平１０−３３８７９号公報（第３頁、図４参照）
【発明の開示】
【発明が解決しようとする課題】
【０００３】
しかしながら特許文献１の洗濯機では、時計機能は電源オフ時には電力が供給されず、
時刻を計時することができないため、使用者は電源オン時（電源投入操作時）に改めて時
刻を設定しなくてはならず、操作性が悪いという問題があった。
【０００４】
また、電源オフ時に時計機能を作動させるためのバックアップの電源を洗濯機に搭載す
る場合には、電源オフ時にも計時するための電力を供給し続けるため、十分に節電ができ
ないという問題があった。
【０００５】
本発明は上記問題点を解決するため、使用者が時刻を設定する必要がなく、かつ電源オ
フ時に時刻を計時するためのバックアップ電源も不要な洗濯機を提供することを目的とす
る。
【課題を解決するための手段】
【０００６】
上記目的を達成するために、本発明に係わる洗濯機は、外枠と、前記外枠内に収納され
て防振支持される水槽と、前記水槽内に収納され、洗濯物を収納し、モータを回転駆動し
て洗濯物を洗浄する洗濯槽と、日時を表す日時情報を含む標準電波を受信し、前記日時情
報を出力する電波時計機構と、前記電波時計機構から出力された前記日時情報に基づいて
、洗濯動作を制御する制御部と、を具備することを主たる特徴とする。
【発明の効果】
【０００７】
上記構成によれば、洗濯機に、標準電波を受信して日時を表示する電波時計機構を搭載
したため、電源オフ時に計時を停止していた時計機能が、電源オン時に自動的に再設定さ
れるので、使用者は改めて日時を設定する必要がなく、操作性が良い。さらに電源オン時
（電源投入操作時）に、自動的に標準電波を受信して日時を表示できるため、バックアッ
プ電源を搭載して電源オフ時にも計時を継続するための電力を供給しつづける必要がなく
、メンテナンスや取り扱いが容易な洗濯機を提供することができる。
【発明を実施するための最良の形態】
【０００８】
以下、図面を用いて本発明の実施形態を説明する。
【０００９】
本発明の洗濯機を洗濯乾燥機に適用した場合の実施形態を、図１乃至図８を参照して説
明する。  
図２は、洗濯乾燥機の全体の概略構成を示す縦断面図である。  
この洗濯乾燥機１は、図２に示すように外枠２内に水槽３が防振状態に吊持されている
。この水槽３内には、洗濯物を入れる洗濯槽４（乾燥時には乾燥槽となる）が回転可能に
支持されており、また、洗濯槽４の底部には洗濯水と共に洗濯物を攪拌するパルセータ９
が回転可能に支持されている。そして洗濯槽４の側壁には、遠心脱水および通風用の多数
の小孔１０が設けられている。
【００１０】
この水槽３の外底面には、回転力を洗い軸１４または脱水軸１５を介してパルセータ９
または洗濯槽４に伝達するモータ１６や、この洗い軸１４と脱水軸１５を切り替えるクラ
ッチ機構（図示せず）を備えた機構部１７が配設されている。機構部１７のクラッチ機構
は、モータ１６の回転力の伝達経路を切り替えて、洗い軸１４または脱水軸１５に伝える
機能を有するものである。そしてモータ１６は、洗い軸１４、脱水軸１５を介して、パル
セータ９または洗濯槽４を回転洗濯槽４内に洗濯水の流れを生起したり、洗濯物の脱水等
を行うようにしている。  
さらに、水槽３の外底面には水槽３内の洗濯水を排水する排水弁１８及び排水ホース１
９等が配設されている。
【００１１】
一方、水槽３の上部には、水槽３内に熱風を送風する熱風供給機構２０が設けられてお
り、この熱風供給機構２０は、ファンモータ２２とファンモータ２２により回転されるフ
ァン２３、及びヒータ２４により構成されており、外枠１の背面の外部吸込口２１につな
がっている。また熱風供給機構２０は、下方の供給ダクト２５につながっており、この供
給ダクト２５は、水槽３の上部に連結されている。
【００１２】
また、水槽３の外側壁には熱風の一部を水槽３内に循環させる循環ダクト２６が上下方
向に設けられており、水槽３の下方側壁に排出口２７、水槽３上部に循環口２８が設けら
れて水槽３と連結されている。  
そして循環ダクト２６の上部には排気口２９が設けられていて、循環ダクト２６中の熱
風を排気している。この排気口２９にはフィルタ３０が設けられ、循環ダクト２６中を浮
遊する洗濯物の糸くず等を収集可能としている。
【００１３】
また、水槽３の外側であって、外枠２内には水槽３の揺れを検出する手段であるアンバ
ランススイッチ３１（図１のみ記載）が設けられている。このアンバランススイッチ３１
は常開形の機械スイッチからなるものであり、洗濯物が洗濯槽４内で偏って存在している
ときなどに、洗濯槽４が円周方向に偏って回転することにより、洗濯槽４がアンバランス
スイッチ３１の検知レバーに接触し、アンバランススイッチ３１が閉塞されてオン状態に
なるものである。
【００１４】
更に、外枠２の上面には、回動可能な外蓋３５が取り付けられ、その外蓋３５によって
洗濯物投入口３６が開閉される。そして、洗濯物投入口３６の下方には水槽３の上部を開
閉可能に閉塞する内蓋３７が設けられている。  
また外蓋３５の後方には、給水口３８が設けられており、水槽３の上部に接続される給
水ホース（図示せず）に連結されて、給水弁３９（図１のみ図示）を介して水槽３内へ水
道水を給水できるように構成されている。
【００１５】
その他、外枠２の上面前方には操作パネル４０が設けられている。図３は、操作パネル
４０の拡大平面図であり、図３を参照して操作パネル４０の構成を説明する。  
この操作パネル４０は、表示部４１と操作部４２で構成されており、操作部４２には、
電源スイッチ４３、スタートボタン４４、コース選択ボタン４５、日時設定ボタン４６等
が配設されている。なお日時設定ボタン４６は日付設定ボタン４７と時刻設定ボタン４８
により構成されている。
【００１６】
一方、表示部４１には、日時表示部４９と電波受信不可表示５２、異常振動表示部５３
、及び行程表示部５４等が設けられており、各種の情報が表示されるように構成されてい
る。行程表示部５４は、洗濯乾燥機１の洗濯行程状況を点灯表示するものである。  
なお、日時表示部４９は、日付表示部５０と時刻表示部５１で構成され、日付と時刻が
表示されるように例えばセグメント表示式ＬＥＤにより構成されている。
【００１７】
次に、上記洗濯乾燥機１の電気的構成を図１を参照して説明する。  
制御部５９は、マイクロコンピュータを含む検知回路で、マイクロコンピュータは予め
記憶されている複数の洗濯動作プログラムを基に検知を行い、それに応じた選択動作の運
転制御を行っている。  
そしてこの制御部５９は、ＡＣ電源６０がＤＣ電源回路６１を介して接続され、信号を
入力する操作部４２、表示部４１、使用者に報知する手段であるブザー６２、及び電波時
計機構６３が接続されている。  
またさらに、給水弁３９、排水弁１８、モータ１６、ファン２３、ヒータ２４、水槽３
内の洗濯水の水位を検出する水位センサ６５等に接続されている。
【００１８】
ここで電波時計機構６３について説明する。  
電波時計機構６３には、標準電波を受信する受信アンテナ６６、受信部６７、日時計時
部６８で構成され、受信アンテナ６６、受信部６７、日時計時部６８の順に接続されてい
る。この標準電波とは、電波時計に向けてその地域の現在の日付情報および時刻情報を発
信する電波であって、独立行政法人情報通信研究機構により生成、維持、供給されている
電波である。  
また日時計時部６８は、水晶発信器を有しており、時刻及び日付を計時する時計機能を
有し、時刻を表す時刻情報及び日付を表す日付情報を出力するように制御部５９及び日時
表示部４９に接続されている。
【００１９】
次に、上記構成の洗濯乾燥機１の動作について図１及び図４を参照して述べる。  
図４は、電波時計機構６３による日時設定の動作内容を示すフローチャートである。 
まず、操作部４２の電源スイッチ４３がＯＮされる（電源投入操作がされる）と、ＡＣ
電源６０からのＡＣ電力が洗濯機本体に供給され、ＤＣ電源回路６１により整流平滑され
て、ＤＣ電力が制御部５９に供給される。  
そして制御部５９は、この電力により、電源ＯＦＦ時は電力が供給されていなかった電
波時計機構６３を通電駆動させる（Ｓ１）。なお、電源ＯＦＦ時は洗濯機本体への電源供
給停止と共に、電波時計は通電駆動していないため、日時計時部６８は停止し、日時表示
部４９は非表示の状態となっている。
【００２０】
電波時計機構６３が通電駆動すると、まず、受信アンテナ６６が日時情報を含む標準電
波を正常に受信すると受信部６７に出力する。そして受信部６７は、標準電波が入力され
ると日時を表す信号に変換して日時計時部６８に出力する（Ｓ２）。なお、電波時計機構
６３が通電駆動している際は、常時標準電波を受信している。
【００２１】
次に、日時計時部６８は受信部６７から受け取った日時情報に基づいて、日時表示部４
９に日付と時刻を表示する（Ｓ４）ことで日時の設定が完了する。その後、日時計時部６
８は、設定された日時に基づいて、時計機能により日付及び時刻を計時していく。  
また日時計時部６８は、日時を表す日時情報を制御部５９に出力し、この制御部５９は
、後述するようにこの日時情報に基づいて洗濯動作等を行う。
【００２２】
また受信アンテナ６６が、例えば標準電波が届かないような位置にある場合で、標準電
波を正常に受信できないとき（Ｓ３のＮ）は、電波受信不可表示５２をＯＮにし、ブザー
６２を鳴らすことにより使用者に標準電波を正常に受信できなかったことを報知する（Ｓ
５）。なお、この際、日時表示部４９には、日付表示部５０は、１月1日を表す「０１／
０１」と表示され、時刻表示部５１は０時０分をあらわす「００：００」と表示されて、
日付と時刻が初期状態で表示される。これは日時計時部６８に初期設定として記憶されて
いる日時であり、電源ＯＮ時に洗濯機本体への電源供給と共に、電波時計機構６３が通電
駆動されて、電波が正常に受信されない場合は、この初期設定に応じた初期状態の日時が
日時表示部４９に表示される。
【００２３】
そして、制御部５９は、使用者が日時を設定するまで待機し、その間に使用者が日時設
定ボタン４６により日時の設定がされた場合（Ｓ７のＹ）は、日時の設定を完了とする。
なお、電源をオンした後、５分間経過しても標準電波を受信せず、使用者により日時の設
定がなされない場合（Ｓ８のＹ）は、日時設定がされない状態つまり日時計時部は初期設
定のままで、日時設定を完了とする。
【００２４】
次に、電波時計機構６３により計時された日時に基づいた洗濯運転の動作について説明
する。  
図５は、洗濯運転の動作内容の一例を示した図である。図６は、制御部５９に記憶され
た洗濯動作のプログラムのうち、「給水」行程における日付に対応する洗濯動作を示した
図である。図７は、制御部５９に記憶された洗濯動作のプログラムのうち、「脱水」行程
における時刻に対応する洗濯動作を示した図である。図８は、図７の一部の動作を示した
詳細図である。
【００２５】
まず、制御部５９に記憶された洗濯動作につき、図５を参照して説明する。  
上記した構成を有する洗濯乾燥機１の「洗乾コース」の洗濯動作は、図５に示すように
「給水」行程に始まり、「洗い」行程、「すすぎ前脱水」行程、「すすぎ」行程、「脱水
」行程を経て、「乾燥」行程に至る。
【００２６】
先ず、外蓋３５と内蓋３７を開放して洗濯槽４内に洗濯物Ｓと洗剤を投入する。  
そして操作パネル４０のコース選択ボタン４５で「洗乾」を選択し、スタートボタン４
４を押すと、「給水」行程がはじまり、排水弁１８を閉じた状態で給水口３８から給水弁
３９を介して水槽３に給水し、水位センサ６５により水位を検知することで所定の水位ま
で洗濯水を溜める。この「給水」行程は日付に対応した洗濯動作プログラムに組み込まれ
ており、詳細は後述する。  
そして「給水」行程が完了すると、給水弁３９を閉じ、「洗い」行程が始まる。この「
洗い」行程では、クラッチ機能により洗い軸１４にモータ１６をかみ合わせ、モータ１６
の回転（例えば１５０ｒｐｍ）によりパルセータ９を正逆回転させ、洗濯槽４内の洗濯物
Ｓを洗濯する。
【００２７】
次に、「すすぎ前脱水」行程では、まず排水弁１８を開いて水槽３内の洗濯水を排水ホ
ース１９から排水する。更に、クラッチ機構によりモータ１６の接続をパルセータ９から
洗濯槽４側に切り替え、洗濯槽４を脱水軸１５を介して高速回転（例えば１０００ｒｐｍ
）させて洗濯物Ｓを遠心脱水する。その際、洗濯物Ｓから洗剤を含む水分が絞り出され、
小孔１０を介して水槽３へ排出される。  
そして、「すすぎ」行程では、排水弁１８を閉じた状態で、給水口３８から給水弁３９
を開いて給水し、水槽３に必要な洗濯水を溜める。  
その後、パルセータ９側にクラッチの切り替えが行われたモータ１６によりパルセータ
９を正逆回転させ「すすぎ前脱水」行程で脱水された洗濯物Ｓに付着した汚れや洗剤をす
すぎ落とす。
【００２８】
つづいて「脱水」行程では、後述する時刻に対応したプログラムに基づいて、「すすぎ
前脱水」行程と同様に水槽３の排水を終えてから、洗濯槽４側にクラッチ切り替えが行わ
れたモータ１６により洗濯槽４を高速回転させ、洗濯物Ｓを遠心脱水する。  
そして最後に、「乾燥」行程では、モータ１６の駆動を制御してパルセータ９を正逆方
向に回転させる動作と洗濯槽４を一方向に回転させる動作を交互に行うと共に熱風循環機
構２０を制御して熱風を水槽３内に供給する。  
この熱風（例えば６０〜７０℃）は、図２に示すように、ファンモータ２２を駆動して
ファン２３を回転させると共にヒータ２４を通電駆動し、洗濯乾燥機１外の空気が矢印Ｅ
のように外部吸込口２１から吸入されてヒータ２４で暖められることにより発生し、供給
ダクト２５を通って水槽３及び洗濯槽４に供給され、洗濯物Ｓと接触して洗濯物Ｓを水分
を蒸発させることにより乾燥させる。そして、洗濯物Ｓと接触して湿気を含んだ熱風Ｅは
、図１に矢印Ｆで示すように小孔１０、排出口２７を通って循環ダクト２６内を水槽３の
外壁沿いに上方に向かったあと、排気口２９からフィルタ３０を介して水槽３外部に排出
される。そして排出された熱風は外蓋３５の隙間を介して本体外部に排気される。
【００２９】
ここで、図６をもとに、日付に対応した動作をする「給水」行程をフローチャートに基
づき説明する。  
スタートボタン４４が押され、「給水」行程がはじまると、洗濯水が排水弁１８を閉じ
た状態で給水口３８から給水され、水槽３に必要な洗濯水が溜まる（Ｓ２１）。  
次に、制御部５９は、日時計時部６８が、受信アンテナ６６が標準電波を正常に受信し
たかどうか確認し（Ｓ２２）、正常に受信している場合は、その受信した日時情報に基づ
き、日時情報の日付を判別する（Ｓ２３）。そして日付情報が１２月１日から３月３１日
の間である場合は、冬コースが選択され（Ｓ２４）、洗剤を洗濯水に溶かすのに要する時
間を３分に設定し、パルセータ９を回転させ洗濯水を３分間攪拌して、洗剤が洗濯水に溶
けやすくする（Ｓ２５）。そして３分間の攪拌後に「洗い」行程が開始される。
【００３０】
一方、日付情報が４月１日〜１１月３０日の間である場合は、標準コースが選択され（
Ｓ２６）、洗剤を洗濯水に溶かすのに要する時間を１分としてパルセータ９で洗濯水を１
分間攪拌し（Ｓ２７）、その後「洗い」行程が開始される。  
なお、標準電波が正常に受信されない場合（Ｓ２２のＮ）には、表示部４１の電波受信
不可表示５２が表示されて、標準コースが自動的に選択される（Ｓ２６）。
【００３１】
つづいて、図７、図８をもとに、時刻に対応した複数の動作をする「脱水」行程をフロ
ーチャートにつき説明する。  
「脱水」行程が開始されると、制御部５９は、受信アンテナ６６が標準電波を正常に受
信したかどうか確認し（Ｓ３１）、正常に受信している場合は、その受信した時刻情報に
基づき、時刻を判別する（Ｓ３２）。  
そして受信した時刻が７時００分から２１時５９分の場合は、「脱水」行程は「昼モー
ド」を選択し（Ｓ３３）、洗濯槽４を例えば目標回転速度１０００ｒｐｍの高速回転で、
洗濯物Ｓを遠心脱水する。そして「昼モード」開始後、所定時間７分が経過すると（Ｓ３
５のＹ）、「乾燥」行程へ移行する。
【００３２】
一方、時刻情報が２２時００分から６時５９分の場合は、「脱水」行程は「夜モード」
を選択し（Ｓ３６）、洗濯槽４の目標回転速度を８００ｒｐｍとし、「昼モード」に比べ
、低い回転速度で洗濯物Ｓを遠心脱水する。また「夜モード」では脱水時間を「昼モード
」とは異ならせていて、「夜モード」行程開始から所定時間１０分が経過すると（Ｓ３８
のＹ）、「乾燥」行程へ移行するように制御し、「昼モード」に比べ長い時間脱水がおこ
なわれるようにしている。
【００３３】
また「脱水」行程中には、図８に示すように水槽３の揺れを検出する異常振動検知ステ
ップが組み込まれており、以下この異常振動検知ステップについて説明する。  
この異常振動検知ステップは水槽３が、円周方向に偏って回転動作しているアンバラン
スな状態を検知するステップであり、時刻に対応した複数の動作を有する。  
「脱水」行程中に、水槽３がアンバランススイッチ３１の検知レバーに接触し、アンバ
ランススイッチ３１がオン状態になると（Ｓ４１のＹ）、洗濯槽４の回転を停止させる（
Ｓ４８）。そして給水口３８から水槽３に再び給水し、クラッチ機構によりモータ１６の
接続を洗濯槽４からパルセータ９側に切り替えてパルセータ９を所定時間正逆回転するこ
とにより、洗濯槽４内の洗濯物Ｓを攪拌し、ほぐすことにより、洗濯物Ｓの偏りを解消す
る（Ｓ４９）。そして再び洗濯水を排水する（Ｓ５０）。  
排水後、再び図７の「脱水」行程スタート時に戻り、電波正常受信確認ステップ（Ｓ３
１）、時刻情報判断ステップ（Ｓ３２）を経て、クラッチ機構によりモータ１６の接続を
洗濯槽４側に切り替えて各モードに基づく所定の回転速度を目標として洗濯槽４を回転さ
せ再び脱水を行う。
【００３４】
また制御部５９は、アンバランススイッチ３１がＯＮされた回数（アンバランス検知回
数）をアンバランスカウンタ機能によりカウントしていく（Ｓ４２）。  
そして、日時計時部６８が、正常に受信した日時情報に基づき、時刻情報の時刻を判別
する（Ｓ４３）。  
そして時刻情報が６時００分から２３時５９分である場合（Ｓ４３のＮ）は、カウンタ
機能がアンバランス検知を「脱水」行程中に３回カウントし、制限アンバランス検知回数
に到達したときにモータ１６の回転を停止させるとともに、アンバランス異常状態（異常
振動状態）を異常振動表示部５３に報知し（Ｓ４６）、「脱水」行程を強制終了して洗濯
動作を終了する。  
また時刻情報が０時００分から５時５９分である場合（Ｓ４３のＹ）は、カウンタ機能
がアンバランス検知を「脱水」行程中に６回カウントしたときに、アンバランス異常状態
（異常振動状態）を表示部４１に報知し、モータ１６の回転を停止して洗濯動作を終了す
る。
【００３５】
以上説明したように、本実施形態によれば次の効果を有する。  
標準電波を受信する機能を有する電波時計機構６３を洗濯乾燥機１に搭載し、受信した
標準電波の日時情報に基づいて洗濯動作を制御するため、正確な日付および時刻に基づい
た制御ができる。  
また、洗濯機の電投入操作時に電波時計機構６３を通電駆動させ、自動的に標準電波を
受信し、日時設定がされるようにしたため、使用者自ら日時を設定する必要がなく、取り
扱いが容易である。
【００３６】
また特許文献１に示す洗濯機では、電源オフ時には、電力が供給されないため時刻が未
設定の状態となり、電源オフ時にも時刻を計時するためにはバックアップ電源が必要であ
ったが、本実施例によれば、電源投入操作時（電源オン時）に、自動的に標準電波を受信
し、日時が計時されるように構成したため、バックアップ電源を必要とせず、電源オフ時
に電波時計機構６３に電力を供給する必要がないため、メンテナンスが容易であるととも
に、安価な洗濯機を提供することができ、さらには洗濯機の使用電力も軽減することがで
きる。
【００３７】
また予め日時に適した条件の複数の洗濯動作のプログラミングを制御部５９に記憶させ
て、電波時計機構が受信した標準電波の日時情報を出力し、制御部がその日時情報に基づ
いて、洗濯動作を選択実行するようにしたため、正確な日時に基いた適正な洗濯動作を実
行できるため、洗濯効率が向上する。  
なお日時情報に基づく日付に対応した複数の洗濯動作を設けたため、季節を考慮した洗
濯動作をさせることができる。本実施例では日時情報に基づく日付に対応して冬コースを
設け、「給水」行程時の洗剤溶かし時間を標準コースより長く設定したため、外気温が低
く、冬場の冷たい洗濯水であっても、洗剤を洗濯水に溶かすことができる。  
また日時情報に基づく時刻に対応した複数の洗濯動作を設けたため、洗濯する時間帯を
考慮した洗濯動作をさせることができる。
【００３８】
本実施例では、「脱水」行程時に、夜モードを設け、洗濯槽４の回転速度を昼モードに
比べて低く設定したため、制御部５９が、電波時計機構６３が受信した正確な時刻に基づ
き夜モードを選択した場合は、夜間の洗濯機の騒音を軽減することができる。なお、夜間
モードでは「脱水」行程時間を１０分にして昼モードに比べて長く設定したため、低い回
転速度であっても十分洗濯物の脱水をすることができる。  
また「脱水」行程時において、深夜時間帯（０−６時）に、制限アンバランス検知回数
を６回とし昼の時間帯（６時―０時）に比べ多い回数に設定し、洗濯動作を強制終了する
制限アンバランス回数を緩和しているため、深夜時間帯には「脱水」行程がアンバランス
によって停止しにくくすることができる。そのため、洗濯動作が途中で強制終了すること
を少なくでき、使用者は朝方には洗濯が完了した洗濯物を取り出すことができる。
【００３９】
なお、これら日時に対応した洗濯動作は、本実施例に記載した洗濯動作以外にも、多種
多様な洗濯動作が考えられ、例えば、「給水」行程で冬コースが選択された場合は、「洗
い」行程の行程時間を長く設けても良い。これによると、冬場の洗濯性能の低い冷たい洗
濯水であっても洗濯物の汚れを十分に落とすことができるという効果が得られる。
【００４０】
なお、これら日時に対応した洗濯動作は、解除スイッチ等を設けて、使用者により解除
できるようにしても良い。これにより使用者は自分に生活パターンにあった洗濯動作を選
択することができる。  
また、電波時計機構６３による日時設定の待機中の間に、使用者がスタートスイッチを
押した場合は、日時が未設定の状態であっても標準で洗濯動作が開始されるように構成し
ても良い。  
また、電波時計機構が通電駆動している際は、常時標準電波を受信させるようにしたが
、標準電波を受信する間隔をプログラミングにより制御してもよい。
【００４１】
また、受信アンテナ６６は、コイルアンテナ、コードアンテナ及びロッドアンテナ等ど
のような形状でもよい。外枠２の外部にロッドアンテナ等の伸縮可能なアンテナを設ける
場合は、標準電波が届きにくい際に、当該アンテナを受信しやすい位置に移動させること
により、標準電波を受信させることができる。
【００４２】
なお、本実施例では、パルセータ有するいわゆる縦型洗濯機を用いて説明したが、洗濯
槽を前後方向を軸としてモータで回転駆動させ洗濯物を洗浄するドラム式洗濯機を使用し
てもかまわない。  
その他、本発明は上記実施例に限定されるものではなく、実施に際して本発明の要旨を
逸脱しない範囲で種々変更して実施できるものである。
【図面の簡単な説明】
【００４３】
【図１】本発明の電気的構成図。
【図２】本発明を適用した洗濯乾燥機の全体の概略構成を示す縦断面図。
【図３】操作パネルの拡大平面図。
【図４】電波時計機構による日時設定の動作内容を示すフローチャート。
【図５】洗濯運転の動作内容を示すフローチャート。
【図６】「給水」行程の動作内容を示すフローチャート。
【図７】「脱水」行程の動作内容を示すフローチャート。
【図８】異常振動検知の動作内容を示すフローチャート。
【符号の説明】
【００４４】
図中、１は洗濯乾燥機、２は外枠、３は水槽、４は洗濯槽、９はパルセータ、１０は小孔
、１４は洗い軸、１５は脱水軸、１６はモータ、１７は機構部、１８は排水弁、１９は排
水ホース、２０は熱風循環機構、２１は外部吸込口、２２はファンモータ、２３はファン
、２４はヒータ、２５は供給ダクト、２６は循環ダクト、２７は排出口、２８は循環口、
２９は排気口、３０はフィルタ、３１はアンバランススイッチ、３５は外蓋、３６は洗濯
物投入口、３７は内蓋、３８は給水口、３９は給水弁、４０は操作パネル、４１は表示部
、４２は操作部、４３は電源スイッチ、４４はスタートボタン、４５はコース選択ボタン
、４６は日時設定ボタン、４７は日付設定ボタン、４８は時刻設定ボタン、４９は日時表
示部、５０は日付表示部、５１は時刻表示部、５２は電波受信不可表示、５３はアンバラ
ンス異常表示部、５４は行程表示部、５９は制御部、６０はＡＣ電源、６１はＤＣ電源回
路、６２はブザー、６３は電波時計機構、６５は水位センサ、６６は受信アンテナ、６７
は受信部、及び６８は日時計時部を示す。
【図１】
2007061502.tif 000003
【図２】
2007061502.tif 000004
【図３】
2007061502.tif 000005
【図４】
2007061502.tif 000006
【図５】
2007061502.tif 000007
【図６】
2007061502.tif 000008
【図７】
2007061502.tif 000009
【図８】
2007061502.tif 000010